(57)【要約】      （修正有）【課題】はしごユニットが高速に近接されることで発生する事故を回避させ、同時に各段のはしごユニットが高速に近接されることによる摩損も防ぎ、伸縮梯子の耐用年数を延ばすクッション機能を有する伸縮梯子を提供する。【解決手段】クッション機能を有する伸縮梯子は、複数のはしごユニット１を備え、且つクッション装置（Ａ部）を更に含み、クッション装置は隣接する２つのはしごユニットの間に設置される。各段のはしごユニットが下に降ろされて収納される際に、クッション装置が隣接する２つのはしごユニットの間に当接され、クッション装置がはしごユニットの間の作用力を受けることにより長さ方向が緩慢に収縮され、はしごユニットがゆっくりと近接されてゆく。【選択図】図１
0003214153.tif 000002
【実用新案登録請求の範囲】
【請求項１】
複数のはしごユニット（１）と、クッション装置（２）と、放出部材（３）とを備え、各前記はしごユニット（１）は、踏ざん（１１）及び２本の支柱（１２）を更に含み、前記踏ざん（１１）の両端は各前記支柱（１２）の間にそれぞれ固着され、且つ上下に隣接するはしごユニット（１）の間は支柱（１２）により相互に滑動可能に覆設され、各前記クッション装置（２）は相互に滑動可能に覆設される各前記支柱（１２）の間に設置され、ガスバッグ（２１）と、制限体（３２）と、一方向バルブフラップ（３１）と、ロープ（３３）とを更に備え、前記ガスバッグ（２１）の一端には通気路（２２）を有し、前記制限体（３２）は前記通気路（２２）に対応するように設置され、前記一方向バルブフラップ（３１）は前記通気路（２２）と前記制限体（３２）との間に設置され、排気孔（３１１）を有することを特徴とするクッション機能を有する伸縮梯子。
【請求項２】
前記ガスバッグ（２１）の前記通気路（２２）とは異なる他端に設置されるロープ（３３）を更に備えることを特徴とする、請求項１に記載のクッション機能を有する伸縮梯子。
【考案の詳細な説明】
【技術分野】
【０００１】
本考案は、梯子設備の技術分野に関し、更に詳しくは、クッション機能を有する伸縮梯子に関する。
【背景技術】
【０００２】
伸縮梯子は使用時には引き伸ばされて展開し、不用な場合は短縮されて収納されて保管される高所作業用の梯子である。従来の伸縮梯子はボタン伸縮式であり、ボタンを押すとロックが解除されて梯子が自重で下に降りて収納される。
【考案の概要】
【考案が解決しようとする課題】
【０００３】
しかしながら、梯子を下に降ろす過程で受ける抵抗力が非常に小さいため、各段のはしごユニットが高速に下に降りて収納されてしまい、使用者が両手で持つ位置を間違うと、指が２本の踏ざんの間に挟まれて指を怪我したり、伸縮梯子の踏ざんが壊れたりすることがあり、梯子が高速に降りることで起こる指の怪我は特に深刻な問題であった。
【０００４】
そこで、本考案者は上記の欠点が改善可能と考え、鋭意検討を重ねた結果、合理的設計で上記の課題を効果的に改善する本考案の提案に到った。
【０００５】
かかる従来の実情に鑑みて、本考案は、クッション機能を有する伸縮梯子を提供することを目的とする。すなわち、各段のはしごユニットが高速で下に降りることなく収納可能な伸縮梯子を提供する。
【課題を解決するための手段】
【０００６】
上記目的を達成するために、本考案に係るクッション機能を有する伸縮梯子の特徴は、複数のはしごユニットを備え、クッション装置は隣接する２つのはしごユニットの間に設置されるクッション装置を更に備える。
【０００７】
好ましくは、前記はしごユニットは踏ざん及び２本の支柱を備え、踏ざんの両端は２本の支柱にそれぞれ固定され、隣接する２つのはしごユニットの間は支柱により相互に滑動可能に覆設され、前記クッション装置は相互に滑動可能に覆設される２本の支柱の間に設置される。
【０００８】
好ましくは、前記クッション装置は、隣接する２つのはしごユニットの間に設置され、一端に通気路が設置されるガスバッグを備える。
【０００９】
好ましくは、前記クッション装置はガスバッグがガスを緩慢に解放させるための放出部材を更に備え、放出部材はガスバッグの一端に設置される。
【００１０】
好ましくは、前記放出部材は、中央部に排気孔が設けられ、且つ通気路に設置される一方向バルブフラップを備える。
【００１１】
好ましくは、前記一方向バルブフラップは弾性板であり、放出部材は弾性板を制限させるための制限体を更に備え、弾性板は通気路と制限体との間に設置される。
【００１２】
好ましくは、前記ガスバッグの他端にはガスバッグを引き伸ばすためのロープが設置される。
【考案の効果】
【００１３】
本考案によれば、各段のはしごユニットを下に降ろして収納する際に、クッション装置が隣接する２つのはしごユニットの間に当接され、クッション装置がはしごユニットの間の作用力を受けることにより長さ方向が緩慢に収縮され、はしごユニットがゆっくりと近接されてゆく。はしごユニットが高速に近接されることで発生する事故を回避させ、同時に各段のはしごユニットが高速に近接されることによる摩損も防ぎ、伸縮梯子の耐用年数を延ばす。
【図面の簡単な説明】
【００１４】
【図１】本考案に係るクッション機能を有する伸縮梯子を説明する概略図である。
【図２】図１（Ａ）の部分拡大概略図である。
【図３】図２（Ｂ）の部分拡大概略図である。
【図４】本考案の放出部材及びクッション装置を示す展開図である。
【考案を実施するための形態】
【００１５】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施形態】
【００１６】
以下に、図１〜４を参照しながら、本考案の実施形態をさらに詳しく説明する。本考案のクッション機能を有する伸縮梯子は、複数のはしごユニット１を備え、隣接する２つのはしごユニット１の間に設置されるクッション装置２を更に備える。各段のはしごユニット１が下に降ろされて収納される場合、クッション装置２が隣接する２つのはしごユニット１の間に当接され、クッション装置２がはしごユニット１の間の作用力を受けることにより長さ方向に緩慢に収縮され、はしごユニット１がゆっくりと近接されてゆく。これにより、はしごユニット１が高速に近接されることで発生する事故を回避させ、同時に各段のはしごユニット１が高速に近接されることによる摩損も防ぎ、伸縮梯子の耐用年数を延ばす。
【００１７】
好ましくは、前記はしごユニット１は踏ざん１１及び２本の支柱１２を備え、踏ざん１１の両端は２本の支柱１２にそれぞれ固定され、隣接する２つのはしごユニット１の間は支柱１２により相互に滑動可能に覆設される。前記クッション装置２は相互に滑動可能に覆設される２本の支柱１２の間に設置され、前記伸縮梯子が収縮される際に、クッション装置２の長さ方向が緩慢に収縮され、相互に滑動可能に覆設される２本の支柱１２も緩慢に収縮される。
【００１８】
好ましくは、前記クッション装置２は、隣接する２つのはしごユニット１の間に設置され、一端に通気路２２が設置されるガスバッグ２１を備える。はしごユニット１が下に降ろされて収納される場合、ガスバッグ２１が圧迫され、ガスバッグ２１内のガスが通気路２２を通過させて外に向けて緩慢に放出され、ガスバッグ２１の長さ方向が緩慢に収縮される。これにより、隣接する２つのはしごユニット１の間の距離が緩慢に縮小し、はしごユニット１が高速に近接されることで発生する事故を回避させる。前記収縮梯子が伸長される場合、ガスバッグ２１に対する圧迫がなくなり、吸気を開始して伸長を始める。
【００１９】
ガスバッグ２１の排気速度を制御するために、前記クッション装置２はガスバッグ２１のガスを緩慢に解放させるための放出部材３を更に備え、放出部材３はガスバッグ２１の一端に設置される。放出部材３によりガスバッグ２１内のガスが緩慢に解放されるように制御され、これによりはしごユニット１が高速に近接されなくなる。収納においては、設置位置が低くなるほどガスバッグ２１が受ける伸縮梯子の重量が大きくなり、位置が低いガスバッグ２１の排気が過度に速まるのを避けるため、放出部材３を調節させることでガスバッグ２１の排気速度が調節できる。これによって各段のはしごユニット１が同期で収縮されるようになる。
【００２０】
好ましくは、前記放出部材３は、中央部に排気孔３１１が設けられ、且つ通気路２２に設置される一方向バルブフラップ３１を備える。ガスバッグ２１は収縮において、ガスバッグ２１内のガスにより一方向バルブフラップ３１が押されて排気路が閉じられる。排気孔３１１の口径は通気路２２の口径よりずっと小さいため、ガスバッグ２１内のガスは排気孔３１１からのみ緩慢に排出される。ガスバッグ２１が伸長されると、ガスバッグ２１の外の空気により一方向バルブフラップ３１が押されて擺動することで通気路２２が開かれ、これにより外のガスがガスバッグ２１に高速に進入し、ガスバッグ２１が高速に伸長する。
【００２１】
前記一方向バルブフラップ３１は弾性板であり、ガスバッグ２１の排気時に一方向バルブフラップ３１の排気路が確実に閉じられるようにするため、放出部材３は弾性板を制限するための制限体３２を更に備え、弾性板は通気路２２と制限体３２との間に設置される。制限体３２はガスバッグ２１の一端に固設され、ガスバッグ２１が排気されて収縮される際に、ガスバッグ２１内のガスにより一方向バルブフラップ３１が押されて制限体３２に当接され、これにより排気路が閉じられて、ガスバッグ２１内のガスが排気孔３１１からのみ排出される。ガスバッグ２１が吸気を行って伸長する場合、外界のガスにより弾性板が押されて制限体３２から離間され、通気路２２が開かれる。これにより、適度なガスがガスバッグ２１に高速に進入する。
【００２２】
さらに、図２及び図４に示すように、ガスバッグ２１が吸気できず伸長出来なくなる事態を避けるため、前記ガスバッグ２１の他端にはガスバッグ２１を引き伸ばすためのロープ３３が設置される。ロープ３３の一端はガスバッグ２１の他端に固定され、ロープ３３の他端ははしごユニット１に固定される。伸長される場合、ガスバッグ２１は上のはしごユニット１に連れて動作し、ロープ３３の他端が下のはしごユニット１に固定され、ロープ３３が真っ直ぐ伸びると、ガスバッグ２１が引っ張られて伸長される。
【００２３】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２４】
１ はしごユニット
１１ 踏ざん
１２  支柱
２  クッション装置
２１  ガスバッグ
２２  通気路
３  放出部材
３１  一方向バルブフラップ
３１１  排気孔
３２  制限体
３３  ロープ
【図１】
0003214153.tif 000003
【図２】
0003214153.tif 000004
【図３】
0003214153.tif 000005
【図４】
0003214153.tif 000006
【手続補正書】
【提出日】平成29年6月16日(2017.6.16)
【手続補正１】
【補正対象書類名】実用新案登録請求の範囲
【補正対象項目名】全文
【補正方法】変更
【補正の内容】
【実用新案登録請求の範囲】
【請求項１】
複数のはしごユニット（１）と、クッション装置（２）と、緩解放部材放出部材（３）とを備え、各前記はしごユニット（１）は、踏ざん（１１）及び２本の支柱（１２）を更に含み、前記踏ざん（１１）の両端は各前記支柱（１２）の間にそれぞれ固着され、且つ上下に隣接するはしごユニット（１）の間は支柱（１２）により相互に滑動可能に覆設され、各前記クッション装置（２）は相互に滑動可能に覆設される各前記支柱（１２）の間に設置され、ガスバッグ（２１）を更に備え、前記ガスバッグ（２１）の一端には通気路（２２）を有し、各前記緩解放部材（３）は前記ガスバッグ（２１）の一端に設置され、前記制限体（３２）と前記一方向バルブフラップ（３１）を含み、前記制限体（３２）は前記通気路（２２）に対応するように設置され、前記一方向バルブフラップ（３１）は前記通気路（２２）と前記制限体（３２）との間に設置され、排気孔（３１１）を有することを特徴とするクッション機能を有する伸縮梯子。
【請求項２】
前記ガスバッグ（２１）の前記通気路（２２）とは異なる他端に設置されるロープ（３３）を更に備えることを特徴とする、請求項１に記載のクッション機能を有する伸縮梯子。
【手続補正２】
【補正対象書類名】図面
【補正対象項目名】図２
【補正方法】変更
【補正の内容】
【図２】
0003214153.tif 000007
【手続補正３】
【補正対象書類名】図面
【補正対象項目名】図４
【補正方法】変更
【補正の内容】
【図４】
0003214153.tif 000008
【手続補正書】
【提出日】平成29年10月23日(2017.10.23)
【手続補正１】
【補正対象書類名】実用新案登録請求の範囲
【補正対象項目名】全文
【補正方法】変更
【補正の内容】
【実用新案登録請求の範囲】
【請求項１】
複数のはしごユニット（１）と、クッション装置（２）と、放出部材（３）とを備え、各前記はしごユニット（１）は、踏ざん（１１）及び２本の支柱（１２）を更に含み、前記踏ざん（１１）の両端は各前記支柱（１２）の間にそれぞれ固着され、且つ上下に隣接するはしごユニット（１）の間は支柱（１２）により相互に滑動可能に覆設され、各前記クッション装置（２）は相互に滑動可能に覆設される各前記支柱（１２）の間に設置され、ガスバッグ（２１）を更に備え、前記ガスバッグ（２１）の一端には通気路（２２）を有し、各前記放出部材（３）は前記ガスバッグ（２１）の一端に設置され、制限体（３２）と一方向バルブフラップ（３１）を含み、前記制限体（３２）は前記通気路（２２）に対応するように設置され、前記一方向バルブフラップ（３１）は前記通気路（２２）と前記制限体（３２）との間に設置され、排気孔（３１１）を有することを特徴とするクッション機能を有する伸縮梯子。
【請求項２】
前記ガスバッグ（２１）の前記通気路（２２）とは異なる他端に設置されるロープ（３３）を更に備えることを特徴とする、請求項１に記載のクッション機能を有する伸縮梯子。